(57)【要約】【課題】カートリッジケースの平坦性を高めて、ロータリシャッタの回動性をよくする。【解決手段】記録ディスクメディア３０の下側に配置されアクセス用開口部を有する下シェル１２と、記録ディスクメディア３０の上側に配置されアクセス用開口部を有する上シェル１１と、カートリッジケース１０内で記録ディスクメディア３０を上下から覆うとともに回動することでアクセス用開口部を開閉するロータリシャッタ２０と、を備え、下シェル１２または／および上シェル１１の、少なくともロータリシャッタ２０の周端部に対向する位置に、半抜き加工処理を施して平坦面８０を形成した。【選択図】図６
2007133961.tif 000002
【特許請求の範囲】
【請求項１】
記録ディスクメディアと、前記記録ディスクメディアを収容するカートリッジケースとを備える記録ディスクカートリッジであって、
前記記録ディスクメディアの下側に配置されて前記カートリッジケースの下壁部材を構成するとともに前記記録ディスクメディアを外部に臨ませるためのアクセス用開口部が形成された金属プレートからなる下シェルと、
前記記録ディスクメディアの上側に配置されて前記カートリッジケースの上壁部材を構成するとともに前記記録ディスクメディアを外部に臨ませるためのアクセス用開口部が形成された金属プレートからなる上シェルと、
前記カートリッジケース内で前記記録ディスクメディアを上下から覆うとともにその記録ディスクメディアを前記アクセス用開口部から外部に臨ませるための切欠部が形成され、前記カートリッジケース内で回動することで前記アクセス用開口部を開閉するロータリシャッタと、を備え、
前記下シェルまたは／および前記上シェルの、少なくとも前記ロータリシャッタの周端部に対向する位置に、半抜き加工処理を施して平坦面を形成したことを特徴とする記録ディスクカートリッジ。
【請求項２】
前記平坦面は、前記ロータリシャッタの外径よりも外径が大きい所定幅の円弧状に形成されたことを特徴とする請求項１に記載の記録ディスクカートリッジ。
【請求項３】
記録ディスクメディアと、前記記録ディスクメディアを収容するカートリッジケースとを備える記録ディスクカートリッジであって、
前記記録ディスクメディアの下側に配置されて前記カートリッジケースの下壁部材を構成するとともに前記記録ディスクメディアを外部に臨ませるためのアクセス用開口部が形成された金属プレートからなる下シェルと、
前記記録ディスクメディアの上側に配置されて前記カートリッジケースの上壁部材を構成するとともに前記記録ディスクメディアを外部に臨ませるためのアクセス用開口部が形成された金属プレートからなる上シェルと、
前記カートリッジケース内で前記記録ディスクメディアを上下から覆うとともにその記録ディスクメディアを前記アクセス用開口部から外部に臨ませるための切欠部が形成され、前記カートリッジケース内で回動することで前記アクセス用開口部を開閉するロータリシャッタと、を備え、
前記ロータリシャッタは、金属プレートからなる上シャッタと下シャッタを有しており、前記上シャッタまたは／および下シャッタに、半抜き加工処理を施して平坦面を形成し、
前記下シェルまたは／および前記上シェルの、少なくとも前記ロータリシャッタに形成された平坦面に対向する位置に、半抜き加工処理を施して平坦面を形成したことを特徴とする記録ディスクカートリッジ。
【請求項４】
対向する前記下シェルと前記下シャッタ、または対向する前記上シェルと前記上シャッタにそれぞれ施される半抜き加工の抜き方向は同一方向であり、
前記下シェルと前記下シャッタのうち、または前記上シェルと前記上シャッタのうち、一方の部材に半抜き加工によって形成された凸部が、前記一方の部材に対向する他方の部材に半抜き加工によって形成された凹部内に挿入されるように構成され、
前記凸部の高さは、前記凹部の深さと同等かあるいは前記凹部の深さよりも大きいことを特徴とする請求項３に記載の記録ディスクカートリッジ。
【請求項５】
対向する前記下シェルと前記下シャッタ、または対向する前記上シェルと前記上シャッタにそれぞれ施される半抜き加工の抜き方向は、前記記録ディスクメディア側に向いていることを特徴とする請求項３または請求項４に記載の記録ディスクカートリッジ。
【請求項６】
対向する前記下シェルと前記下シャッタ、または対向する前記上シェルと前記上シャッタにそれぞれ施される半抜き加工の抜き形状は、それぞれ所定幅の円弧状であることを特徴とする請求項３乃至請求項５のいずれか１項に記載の記録ディスクカートリッジ。
【請求項７】
前記下シェルおよび上シェルは、厚さが１００μｍ〜２００μｍの金属プレートにて構成されており、これらに施される半抜き加工の半抜き深さは、前記金属プレートの板厚の１／１０〜１／２の範囲であることを特徴とする請求項１乃至請求項６のいずれか１項に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシートなどからなる円盤状の支持体の両面に磁性層を形成したフレキシブルな磁気ディスクメディアや、光記録ディスクメディア、相変化ディスクメディアなどの記録ディスクメディアをカートリッジケースに収容した記録ディスクカートリッジが知られている。これらの記録ディスクメディアは、年々、高密度記録化されており、その記録トラック幅はより狭くなってきているとともに、その記録長はより短くなってきている。
【０００３】
従来の記録ディスクカートリッジとしては、例えば特許文献１に記載のものが知られている。
【０００４】
特許文献１に記載の記録ディスクカートリッジ８００は、図１３の従来図に示すように、カートリッジケース８１０と、このカートリッジケース８１０の内部に回動可能に配置されたロータリシャッタ８２０と、このロータリシャッタ８２０の内部に回転自在に配置された記録ディスクメディア８３０と、を主に備えている。記録ディスクメディア８３０は、円盤状のフレキシブルディスク８３１と、このフレキシブルディスク８３１を支持するハブ８３２とから構成されている。かかる記録ディスクカートリッジ８００は、専用のドライブ装置（図示省略）に装着されて使用される。
【０００５】
カートリッジケース８１０は、図１３に示すように、上シェル８１１と下シェル８１２とから構成されており、記録ディスクカートリッジ８００がドライブ装置に装着されたときにドライブ装置のヘッドが記録ディスクメディア８３０にアクセスできるように、平面視くさび形のアクセス用開口部８１３が形成されている。また、下シェル８１２には、記録ディスクカートリッジ８００がドライブ装置に装着されたときにドライブ装置のスピンドルがハブ８３２にチャックできるように、チャック用ハブ孔８１５が形成されている。
【０００６】
ロータリシャッタ８２０は、円盤状の上シャッタ８２３と下シャッタ８２４とから構成されており、記録ディスクメディア８３０をアクセス用開口部８１３から露出させるための切欠８２１を有している。この切欠８２１は、アクセス用開口部８１３と対応する形状を有している。また、ロータリシャッタ８２０は、カートリッジケース８１０内で回動できるように上シェル８１１に結合されている。ロータリシャッタ８２０が閉位置にあるとき、カートリッジケース８１０のアクセス用開口部８１３はロータリシャッタ８２０の切欠８２１以外の部分によって塞がれる。そのため、記録ディスクメディア８３０は外部に露出しない。ロータリシャッタ８２０が開位置にあるとき、ロータリシャッタ８２０の切欠８２１とカートリッジケース８１０のアクセス用開口部８１３とが重なって、アクセス用開口部８１３から記録ディスクメディア８３０が露出する。ロータリシャッタ８２０は、図示しないばねにより付勢されて、ドライブ装置に装着されていないときは閉位置に配置され、ドライブ装置に装着されたときは開位置に配置されるようになっている。
【０００７】
また、ロータリシャッタ８２０の下シャッタ８２４には、チャック用ハブ孔８１５と対応する形状を有するハブ孔８２２が形成されており、ハブ８３２の下面は、このハブ孔８２２を介してチャック用ハブ孔８１５から露出している。
【特許文献１】米国特許第６２５６１６８号明細書
【発明の開示】
【発明が解決しようとする課題】
【０００８】
ところで、記録ディスクカートリッジ８００は、規格寸法が決まっており、２ｍｍ弱の厚さの中に多くの部品が設けられている。その中でも、ロータリシャッタ８２０は、その内部で記録ディスクメディア８３０が回転するため所定の厚さが必要となる。そのため、カートリッジケース８１０とロータリシャッタ８２０との隙間の寸法は小さくなる。さらに、ロータリシャッタ８２０は、その中心部で支持されているので、その周端部においてガタツキが大きくなる場合がある。したがって、カートリッジケース８１０の表面が歪んでいると、カートリッジケース８１０にロータリシャッタ８２０が接触してしまい、ロータリシャッタ８２０の回動が妨げられるおそれがある。したがって、カートリッジケース８１０の平坦性を高めることが重要となっている。
【０００９】
しかしながら、従来の記録ディスクカートリッジ８００は、図１３に示すように、一部の周端部が記録ディスクメディア８３０の形状に沿って円弧状に形成されているため、上シェル８１１と下シェル８１２は、単なる折り曲げ加工では形成できず、金属プレートにしぼり加工処理を施すことにより、前端部の円弧状の壁部と一体的に形成されている。このように金属プレートにしぼり加工処理を施すと、処理部近傍の金属プレートが引っ張られて、反りなどの歪が発生しやすい。そのため、特に、円弧状部分の近傍において、平坦性が良くないといった問題があった。
【００１０】
このような背景に鑑みて本発明がなされたのであり、本発明は、カートリッジケースの平坦性を高めることができる記録ディスクカートリッジを提供することを課題とする。
【課題を解決するための手段】
【００１１】
前記した課題を解決するため、本発明は、記録ディスクメディアと、前記記録ディスクメディアを収容するカートリッジケースとを備える記録ディスクカートリッジであって、前記記録ディスクメディアの下側に配置されて前記カートリッジケースの下壁部材を構成するとともに前記記録ディスクメディアを外部に臨ませるためのアクセス用開口部が形成された金属プレートからなる下シェルと、前記記録ディスクメディアの上側に配置されて前記カートリッジケースの上壁部材を構成するとともに前記記録ディスクメディアを外部に臨ませるためのアクセス用開口部が形成された金属プレートからなる上シェルと、前記カートリッジケース内で前記記録ディスクメディアを上下から覆うとともにその記録ディスクメディアを前記アクセス用開口部から外部に臨ませるための切欠部が形成され、前記カートリッジケース内で回動することで前記アクセス用開口部を開閉するロータリシャッタと、を備え、前記下シェルまたは／および前記上シェルの、少なくとも前記ロータリシャッタの周端部に対向する位置に、半抜き加工処理を施して平坦面を形成したことを特徴とする。
【００１２】
このような記録ディスクカートリッジによれば、下シェルまたは／および前記上シェルの、少なくとも前記ロータリシャッタの周端部に対向する位置の平坦性を高めることができるので、下シェルや上シェルに歪が発生してロータリシャッタに接触するのを防止できる。すなわち、下シェルや上シェルの平坦性を高めることで、ロータリシャッタとカートリッジケースとの接触を抑制している。また、万一、ロータリシャッタにガタツキが発生して、カートリッジケースに接触したとしても、その接触面の平坦性は高いので、ロータリシャッタの回動を円滑に行うことができる。
【００１３】
さらに、カートリッジケースの下シェルまたは／および上シェルの周端部近傍に半抜き加工によって段部が設けられるので、この段部が補強リブの役目を果たし、カートリッジケースのねじれに対する剛性を高めることができ、記録ディスクカートリッジを持ち運ぶ際などに、カートリッジケースが変形するのを防止できる。
【００１４】
前記した記録ディスクカートリッジにおいては、前記平坦面は、前記ロータリシャッタの外径よりも外径が大きい所定幅の円弧状に形成されていることが望ましい。
【００１５】
このような構成によれば、ロータリシャッタの周端部が、平坦面に相当する場所に確実に位置するので、ロータリシャッタのカートリッジケースへの接触の防止効果が大きい。
【００１６】
また、本発明は、記録ディスクメディアと、前記記録ディスクメディアを収容するカートリッジケースとを備える記録ディスクカートリッジであって、前記記録ディスクメディアの下側に配置されて前記カートリッジケースの下壁部材を構成するとともに前記記録ディスクメディアを外部に臨ませるためのアクセス用開口部が形成された金属プレートからなる下シェルと、前記記録ディスクメディアの上側に配置されて前記カートリッジケースの上壁部材を構成するとともに前記記録ディスクメディアを外部に臨ませるためのアクセス用開口部が形成された金属プレートからなる上シェルと、前記カートリッジケース内で前記記録ディスクメディアを上下から覆うとともにその記録ディスクメディアを前記アクセス用開口部から外部に臨ませるための切欠部が形成され、前記カートリッジケース内で回動することで前記アクセス用開口部を開閉するロータリシャッタと、を備え、前記ロータリシャッタは、金属プレートからなる上シャッタと下シャッタを有しており、前記上シャッタまたは／および下シャッタに、半抜き加工処理を施して平坦面を形成し、前記下シェルまたは／および前記上シェルの、少なくとも前記ロータリシャッタに形成された平坦面に対向する位置に、半抜き加工処理を施して平坦面を形成したことを特徴とする記録ディスクカートリッジである。
【００１７】
このような記録ディスクカートリッジによれば、請求項１に記載の発明と同様に、下シェルまたは／および上シェルの、少なくとも前記ロータリシャッタの周端部に対向する位置の平坦性を高めることができ、ロータリシャッタの回動を円滑に行うことができる。さらに、カートリッジケースの下シェルまたは／および上シェルの縁端部近傍に半抜き加工によって段部が形成され、これが補強リブの役目を果たすので、カートリッジケースのねじれに対する剛性を高めることができ、記録ディスクカートリッジを持ち運ぶ際に、カートリッジケースが変形してねじれるのを防止できる。
【００１８】
前記した記録ディスクカートリッジにおいては、対向する前記下シェルと前記下シャッタ、または対向する前記上シェルと前記上シャッタにそれぞれ施される半抜き加工の抜き方向は同一方向であり、前記下シェルと前記下シャッタのうち、または前記上シェルと前記上シャッタのうち、一方の部材に半抜き加工によって形成された凸部が、前記一方の部材に対向する他方の部材に半抜き加工によって形成された凹部内に挿入されるように構成され、前記凸部の高さは、前記凹部の深さと同等かあるいは前記凹部の深さよりも大きいことが望ましい。
【００１９】
このような構成によれば、万一ロータリシャッタにガタツキが発生したとしても、平坦面が形成された凸部が、凹部に接触するだけであるので、ロータリシャッタの回動を妨げることはない。
【００２０】
また、前記した記録ディスクカートリッジにおいては、対向する前記下シェルと前記下シャッタ、または対向する前記上シェルと前記上シャッタにそれぞれ施される半抜き加工の抜き方向は、前記記録ディスクメディア側に向いていることが望ましい。
【００２１】
このような構成によれば、カートリッジケースの外形寸法が大きくならず、規格寸法以上の厚さになることはない。
【００２２】
さらに、前記した記録ディスクカートリッジにおいては、対向する前記下シェルと前記下シャッタ、または対向する前記上シェルと前記上シャッタにそれぞれ施される半抜き加工の抜き形状は、それぞれ所定幅の円弧状であることが望ましい。
【００２３】
このような構成によれば、下シェルと下シャッタ間、または上シェルと上シャッタ間の隙間の寸法が、ロータリシャッタの中心部において小さくなることはない。よって、スライドシャッタなどの他の部材の設置を容易に行うことができる。
【００２４】
また、前記した記録ディスクカートリッジにおいては、前記下シェルおよび上シェルは、厚さが１００μｍ〜２００μｍの金属プレートにて構成されており、半抜き加工の半抜き深さは、前記金属プレートの板厚の１／１０〜１／２の範囲であることが望ましい。
【００２５】
このような構成によれば、カートリッジケースは、必要な剛性を有するとともに、半抜き加工によって剛性が低下することはない。
【発明の効果】
【００２６】
本発明によれば、カートリッジケースの平坦性を高めることができ、ロータリシャッタの回転を円滑に行うことができるといった優れた効果を発揮する。
【発明を実施するための最良の形態】
【００２７】
本発明を実施するための最良の第一の形態について図面を参照して詳細に説明する。参照する図面において、図１は、第一実施形態に係る記録ディスクカートリッジを示す斜視図であり、（ａ）は前方斜め上方から見た図、（ｂ）は後方斜め下方から見た図をそれぞれ示している。図２は、第一実施形態に係る記録ディスクカートリッジの分解斜視図である。図３は、第一実施形態に係るロータリシャッタを示す斜視図であり、（ａ）は前方斜め上方から見た図、（ｂ）は後方斜め下方から見た図である。図４は、第一実施形態に係る記録ディスクカートリッジを下方から見た平面図である。図５は、第一実施形態に係る記録ディスクカートリッジをドライブ装置に挿入した状態と挿入前の状態を示す斜視図である。図６は、第一実施形態に係る記録ディスクカートリッジを示す要部断面図である。図７は、第一実施形態に係る記録ディスクカートリッジの下シェルを示す上面図である。図８は、第一実施形態に係る記録ディスクカートリッジを示す一部破断斜視図である。図９は、第一実施形態に係る半抜き加工の状態を示す断面図である。
【００２８】
なお、本説明において方向を説明する場合は、図１に示す前、後、右、左、上、下、を基準として説明する。
【００２９】
≪記録ディスクカートリッジ１の構成≫
図１および図２に示すように、第一実施形態に係る記録ディスクカートリッジ１は、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下側に配置されたハブ孔シャッタ４０と、を主に備えている。かかる記録ディスクカートリッジ１は、専用のドライブ装置Ｄ（図５参照）に前側から挿入されて使用される。
【００３０】
＜カートリッジケース１０＞
カートリッジケース１０は、図１に示すように、記録ディスクメディア３０を収容するための厚さの薄い箱状体である。カートリッジケース１０は、前端部１０ａが平面視で円弧（アーチ）状に形成されるとともに、後端部１０ｂ、右端部１０ｃおよび左端部１０ｄが平面視で略直線状に形成されている。なお、後端部１０ｂの中間部は、その両側に比して後側にやや膨らんでおり、記録ディスクカートリッジ１をドライブ装置Ｄから取り出す際に把持し易くなっている（図５参照）。
【００３１】
また、カートリッジケース１０は、その内部に収容された記録ディスクメディア３０を外部に臨ませるための、平面視でくさび形（中心角が略９０°の略扇形）に切り欠かれたアクセス用開口部１０１を有している。なお、このアクセス用開口部１０１は、ドライブ装置ＤのスイングアームＳＡ（図５参照）の動作に干渉しない形状となっている。
【００３２】
このようなカートリッジケース１０は、図２に示すように、互いに対向して配置される金属製の上シェル１１および下シェル１２と、この上シェル１１と下シェル１２との間に介在した合成樹脂製のフレーム部材１３と、を備えて構成されている。
【００３３】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートに打ち抜き加工、折り曲げ加工や半抜き加工を施すことで、所定の形状に形成されている。
【００３４】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、カートリッジケース１０のアクセス用開口部１０１が構成されている。
【００３５】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
【００３６】
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００３７】
さらに、上シェル１１は、その中央部に、ロータリシャッタ２０を回動可能に止め付けるためのセンタピン５０を係合する係合孔１１３を有している。
【００３８】
一方、下シェル１２は、その中央部に、記録ディスクメディア３０のハブ３２を外部に臨ませるハブ孔１２３を有している。記録ディスクカートリッジ１がドライブ装置Ｄに装着された際に、このハブ孔１２３を介して、ドライブ装置Ｄのスピンドル（図示省略）がハブ３２に係合するようになっている。
【００３９】
また、下シェル１２は、後記するロータリシャッタ２０のシャッタノブ２４の回動軌道に沿って形成されたガイド孔１２４と、ハブ孔シャッタ４０を軸支するため、内側（記録ディスクメディア３０側）に突出した２つの回動軸部１２５ａ，１２５ｂとを有している。
【００４０】
［フレーム部材１３］
フレーム部材１３は、図２に示すように、前端部１０ａの右寄り部分のアーチ状の周壁を構成するアーチ状フレーム１３１と、主に後端部１０ｂの周壁を構成するベースフレーム１３２と、左端部１０ｄの周壁の一部を構成するＶノッチ部材１３３と、を備えて構成されている。
【００４１】
アーチ状フレーム１３１の内壁面１３１ａ（記録ディスクメディア３０側の面）は、ロータリシャッタ２０の外形に沿って円弧状に形成されている。アーチ状フレーム１３１の外壁面１３１ｂ（記録ディスクカートリッジ１の外側の面）は、カートリッジケース１０の前端部１０ａの外形に沿って円弧状に形成されている。また、アーチ状フレーム１３１は、下向きに開口し、カートリッジケース１０の内部と外部を連通させる係合溝１３１ｅ（図４参照）を有している。この係合溝１３１ｅは、後記するロック片７０が係合する溝である。
【００４２】
ベースフレーム１３２の内壁面１３２ａ（記録ディスクメディア３０側の面）は、ロータリシャッタ２０の外形に沿って円弧状に形成されている。ベースフレーム１３２の外壁面１３２ｂ（記録ディスクカートリッジ１の外側の面）は、カートリッジケース１０の左右両端部１０ｃ，１０ｄおよび後端部１０ｂの形状に沿って略直線形状に形成されている。
【００４３】
Ｖノッチ部材１３３は、後記するように閉方向に付勢されるロータリシャッタ２０を閉位置で止めるストッパとしての役割と（図４参照）、ドライブ装置Ｄとの係合部としての役割とを備える部材であり、左端部１０ｄの前側に配置されている。
【００４４】
上シェル１１および下シェル１２とフレーム部材１３とは、公知の技術によって、それぞれ固定されている。例えば、（１）フレーム部材１３にボスを設けるとともに、上シェル１１および下シェル１２にボス孔を設け、ボスをボス孔に挿通した状態でボスの先端をかしめることにより固定したり、（２）上シェル１１および下シェル１２とフレーム部材１３とを、接着剤により接着したりして、上シェル１１および下シェル１２とフレーム部材１３とが固定されている。
【００４５】
以上のように、上シェル１１および下シェル１２の間に、合成樹脂製のフレーム部材１３を設けて、これらを固定することで、カートリッジケース１０を形成したことによって、金属プレートの円弧状部分での折り曲げを行う必要がなくなる。したがって、金属プレートのしぼり加工処理を施さなくて済むので、円弧状部分の近傍において、反りなどの歪が発生せず、上シェル１１および下シェル１２の平坦性を高めることができる。
【００４６】
＜ロータリシャッタ２０＞
ロータリシャッタ２０は、アクセス用開口部１０１（図１参照）を開閉するためのシャッタであり、中空構造の略円盤形状に形成されている。ロータリシャッタ２０の中空部には、記録ディスクメディア３０が回転自在に収容されている（図３参照）。
【００４７】
ロータリシャッタ２０は、図２及び図３に示すように、記録ディスクメディア３０を外部に臨ませる切欠部２０１を有している（図５参照）。なお、切欠部２０１は、カートリッジケース１０のアクセス用開口部１０１と略同形状となっている。ロータリシャッタ２０は上シェル１１の中央部付近にセンタピン５０によって回動自在に固定されている。
【００４８】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図４、図５参照）。
【００４９】
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図５参照）。
【００５０】
また、ロータリシャッタ２０は、図示しない付勢手段（例えば渦巻きばね）によって、閉方向（図４中、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図４、図５参照）。
【００５１】
このようなロータリシャッタ２０は、図２および図３に示すように、金属プレートからなる上シャッタ２１および下シャッタ２２と、これらの間に介在した合成樹脂製のシャッタウォール２３と、を備えて構成されている。
【００５２】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。そして、切欠部２１１と切欠部２２１とで、前記したロータリシャッタ２０の切欠部２０１が構成されている。
【００５３】
また、上シャッタ２１は、その中央部に、前記したセンタピン５０を挿通させるための挿通孔２１２を有している。
【００５４】
下シャッタ２２は、その中央部に、記録ディスクメディア３０の後記するハブ３２を外部に臨ませるためのハブ孔２２２を有している。
【００５５】
下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００５６】
さらに、下シャッタ２２の下面には、ロータリシャッタ２０を回動させるためのシャッタノブ２４が取り付けられている（図３（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図５参照）。
【００５７】
さらにまた、下シャッタ２２は、その一部が上側に折り曲げ加工されることで一体に形成されたロック片７０を備えている。ロック片７０は、記録ディスクカートリッジ１の挿入前である通常時において、ロータリシャッタ２０を閉位置でロックするためのものである。
【００５８】
具体的には、ロック片７０は、下シャッタ２２の側面から、その径方向外側に向かって徐々に離れるように延出した細長の金属片である。ロック片７０の先端部７１は、径方向内側に向かってやや屈曲している（図３、図４参照）。
【００５９】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図４参照）に係合し、ロータリシャッタ２０が回動しないようになっている。
【００６０】
また、ロック片７０の先端部７１は、係合溝１３１ｅを介して、記録ディスクカートリッジ１の右側方に臨んでいる。そして、記録ディスクカートリッジ１がドライブ装置Ｄ（図５参照）に挿入されると、ドライブ装置Ｄ内のロック解除ピン（図示省略）が、ロック片７０の先端部７１を径方向内側に押し（図４の矢印Ａ６参照）、ロック片７０と係合溝１３１ｅとの係合が解除され、ロータリシャッタ２０が回動可能となるように構成されている。
【００６１】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００６２】
＜ライナ６０＞
図２に示すように、記録ディスクメディア３０と上シャッタ２１および下シャッタ２２との間には、不織布などからなるライナ６０がそれぞれ配置されている。ライナ６０は、記録ディスクメディア３０と、上シャッタ２１または下シャッタ２２とが擦れて、記録ディスクメディアに傷がつかないようにするためのものである。ライナ６０は、上シャッタ２１と下シャッタ２２の内面にそれぞれ接着固定されている。
【００６３】
＜記録ディスクメディア３０＞
記録ディスクメディア３０は、データを記録する記録媒体であり、第一実施形態では、図２に示すように、フレキシブルディスク３１と、このフレキシブルディスク３１を支持するハブ３２と、を備えて構成されている。
【００６４】
フレキシブルディスク３１は、例えば、ポリエステルシートなどからなる円盤状の支持体の両面に磁性層などの記録層を形成したものである。ハブ３２は、フレキシブルディスク３１を支持する金属製の円筒状部材である。ハブ３２は、上面にフレキシブルディスク３１の取り付け部（図示省略）を備えるとともに、下面にドライブ装置Ｄ（図５参照）のスピンドル（図示省略）にチャックされるチャック部３２１を備えている（図１（ｂ）参照）。
【００６５】
＜ハブ孔シャッタ４０＞
図２、図４および図５に示すように、ハブ孔シャッタ４０は、下シェル１２とハブ３２との間の隙間Ｓ（図５参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００６６】
第１シャッタ４１及び第２シャッタ４２は、それぞれ、平面視で半円状の板状部材である。第１シャッタ４１は、その一方側に、軸孔４１１を有している。同様に、第２シャッタは、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００６７】
また、第１シャッタ４１は、その他方側に、ハブ３２と嵌り合うように半円形状に切り欠かれた嵌合部４１２を有している。同様に、第２シャッタは、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００６８】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００６９】
＜半抜き加工処理＞
ところで、本発明は、下シェル１２または／および上シェル１１の、少なくともロータリシャッタ２０の周端部に対向する位置に、半抜き加工処理を施して平坦面８０（図６および図７参照）を形成したことを特徴とする。なお、第一実施形態では、下シェル１２に、略円柱状の凸部８１が形成される半抜き加工処理が施されている。
【００７０】
第一実施形態では、図６乃至図８に示すように、下シェル１２に、上側（記録ディスクメディア側）に向かって半抜き加工が施されており、ロータリシャッタ２０および記録ディスクメディア３０側に略円柱状の凸部８１が形成されている。なお、凸部８１は、下シェル１２にアクセス用開口部１２１が形成されているので、それに応じて切り欠かれた形状となっている。図６に示すように、凸部８１の円弧状の周端部は、ロータリシャッタ２０の周端部より径方向外側に位置するようになっている。すなわち、凸部８１は、その外径Ｒ１がロータリシャッタ２０の外径Ｒ２よりも大きくなるように形成されている。
【００７１】
ここで、半抜き加工とは、板材などを完全に打ち抜くのではなく部分的に板厚の途中まで打ち抜く加工をいう。すなわち、半抜き加工は、打ち抜き加工を途中で止めて板材などを、凸形状に加工することである。本発明における半抜き加工は、図９（ａ）に示すように、ダイ９１上に下シェル１２を構成する板材９０を載置した後に、図９（ｂ）に示すように、パンチ９３で板材９０の途中まで打ち抜くことで行う。ここで、ダイ９１の内壁面９２とパンチ９３の外壁面９４とが同一平面上になるように、加工装置が構成されている。このように半抜き加工を行うことで、凸部８１の周端部近傍（図７中、符号８２で示すハッチング部分）の表裏両面は、パンチ９３の表面の平坦部に倣い平坦となる。すなわち、凸部８１の周端部近傍８２には、所定幅の平坦面８０が円弧状に形成されることとなる。
【００７２】
下シェル１２は、例えばステンレス鋼などの金属プレートにて構成されており、板厚ｔ（図９（ｂ）参照）は１００μｍ〜２００μｍの範囲内で設定されている（本実施の形態では１８０μｍ）。下シェル１２には、焼き鈍し加工処理を施していないステンレス鋼が用いられている。焼き鈍し材は、半抜き加工に向いてはいるものの、平坦性が劣るため、２ｍｍ弱の厚さの中に多くの部品が設けられている記録ディスクカートリッジ１に採用するのは好ましくないためである。なお、上シェル１１も、下シェル１２と同等の材料にて形成されている。
【００７３】
半抜き加工の半抜き深さｄ（図９（ｂ）参照）は、金属プレートの板厚ｔの１／１０〜１／２の範囲であり、本実施の形態では１／２で、９０μｍとなっている。すなわち、板材９０がパンチ９３によって板材９０の板厚ｔの中間部まで打ち抜かれて、下シェル１２が形成されている。なお、半抜き加工処理は、下シェル１２の折り曲げ部１２２ａ、１２２ｂ、下シェル１２に形成されるアクセス用開口部１２１、ハブ孔１２３、ガイド孔１２４および回動軸部１２５ａ，１２５ｂなどの形成後、すなわち、下シェル１２の他の全ての加工工程の後に施されるのが好ましい。
【００７４】
≪記録ディスクカートリッジ１の作用効果≫
次に、前記構成の記録ディスクカートリッジ１の作用効果について説明する。まず、ロータリシャッタ２０およびハブ孔シャッタ４０の動作について、図５を主に参照して説明し、その後、半抜き加工処理による作用効果について説明する。
【００７５】
＜ロータリシャッタ２０の動作＞
ロータリシャッタ２０は、図５右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。なお、このようにロータリシャッタ２０が閉位置に配置される場合、シャッタノブ２４は、下シェル１２のガイド孔１２４の前方に位置する。
【００７６】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図４中、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図４中、矢印Ａ２参照）。
【００７７】
そうすると、シャッタノブ２４が固定されたロータリシャッタ２０は、カートリッジケース１０内でセンタピン５０を軸として回動する（図４中、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００７８】
そして、図５左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
【００７９】
なお、このようにロータリシャッタ２０が開位置に配置される場合、ロータリシャッタ２０に固定されたシャッタノブ２４は、下シェル１２のガイド孔１２４の後方に位置する。
【００８０】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図４参照）。
【００８１】
＜ハブ孔シャッタ４０の動作＞
次に、このようなロータリシャッタ２０の動作に連動するハブ孔シャッタ４０について説明する。
【００８２】
ハブ孔シャッタ４０は、図５右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の侵入が防止されており、その結果として、記録ディスクメディア３０等が保護されている。
【００８３】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図４中、矢印Ａ４，Ａ４参照）。
【００８４】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図４中、矢印Ａ５参照）。また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図４中、矢印Ａ５参照）。
【００８５】
このように第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図５左側参照）。その結果として、ハブ３２及びこれを備える記録ディスクメディア３０は、ハブ３２にチャックするドライブ装置Ｄのスピンドル（図示省略）により、良好に回転することができる。
【００８６】
なお、記録ディスクカートリッジ１がドライブ装置Ｄから取り出されると、閉位置に戻るロータリシャッタ２０に連動して、ハブ孔シャッタ４０は隙間Ｓを閉じる。
【００８７】
＜半抜き加工処理の作用効果＞
下シェル１２に半抜き加工処理を施したことによって、ロータリシャッタ２０の周端部に対向する位置に平坦面８０が形成されるので、下シェル１２に反りなどの歪が発生することはない。したがって、カートリッジケース１０に発生する歪を原因とするロータリシャッタ２０とカートリッジケース１０との接触を防止できる。また、ロータリシャッタ２０とカートリッジケース１０間の隙間を所定距離以上に保つことができるので、ロータリシャッタ２０がカートリッジケース１０に接触するのを抑制できる。
【００８８】
ところで、ロータリシャッタ２０はその中心部が軸支されているので、ガタツキが発生した場合、周端部で上下動が大きくなる。この上下動が大きく、接触防止のための条件が一番厳しくなる部分に、平坦面８０を形成したことで、周端部以外の部分（ロータリシャッタ２０の中心寄りの部分）も含むロータリシャッタ２０の全体で、ロータリシャッタ２０とカートリッジケース１０が接触するのを防止できる。また、凸部８１の円弧状の周端部は、ロータリシャッタ２０の周端部よりも径方向外側に位置するように構成されているので、ロータリシャッタ２０の周端部が、平坦面８０に対向する場所に確実に位置することとなり、ロータリシャッタ２０がカートリッジケース１０に接触するのを防止できる。
【００８９】
また、万一、ロータリシャッタ２０に大きいガタツキが発生して、カートリッジケース１０に接触したとしても、その接触面（平坦面８０）の平坦性が高いので、ロータリシャッタ２０がカートリッジケース１０に引っ掛かることはなく、ロータリシャッタ２０の回動を円滑に行うことができる。
【００９０】
これによって、記録ディスクカートリッジ１をドライブ装置Ｄに挿入したときには、ロータリシャッタ２０が開位置へと確実に回動して、アクセス用開口部１０１が開放されてアクセス可能となる。また、記録ディスクカートリッジ１をドライブ装置Ｄから抜き出したときには、ロータリシャッタ２０が閉位置へと確実に回動して、アクセス用開口部１０１が閉鎖されて、記録ディスクメディア３０が保護される。
【００９１】
さらに、第一実施形態では、上シェル１１と下シェル１２の間に合成樹脂製のフレーム部材１３を設けてカートリッジケース１０を形成することで、上シェル１１および下シェル１２の平坦性を高めたことと相まって、カートリッジケース１０の平坦性が大幅に高められている。なお、本発明は、第一実施形態に限られるものではなく、従来のようにしぼり加工処理を施して形成されたカートリッジケースであっても適用可能であるのは勿論である。しぼり加工処理を施したカートリッジケースであっても、本発明のような半抜き加工処理を施せば、カートリッジケースの平坦性を十分に高めることができる。
【００９２】
一方、カートリッジケース１０の周端部近傍に、半抜き加工処理によって段部８１ａが形成されることとなるので記録ディスクカートリッジ１の強度アップを図ることができる。すなわち、段部８１ａが補強リブの役目を果たし、カートリッジケース１０のねじれに対する剛性を高めることができる。したがって、記録ディスクカートリッジ１をケースに入れずに持ち運んでも、カートリッジケース１０が変形するのを防止でき、ロータリシャッタ２０の良好な回動性を保持することができる。また、半抜き加工処理を施したことで、その後に行うアクセス用開口部１２１やハブ孔１２３などの加工時に、下シェル１２に歪が発生するのを防止できる。
【００９３】
また、下シェル１２および上シェル１１は、板厚ｔが１００μｍ〜２００μｍの金属プレートによって構成されているので、カートリッジケース１０として必要な強度を得られるとともに、半抜き加工の半抜き深さｄは、金属プレートの板厚ｔの１／１０〜１／２の範囲となっているので、加工安定性がよく、半抜き加工処理を容易に行える。
【００９４】
［第二実施形態］
次に、本発明に係る記録ディスクカートリッジの第二の実施形態について説明する。
【００９５】
図１０は、第二実施形態に係る記録ディスクカートリッジを示す要部断面図である。図１１は、第二実施形態に係る記録ディスクカートリッジの下シェルを示す上面図である。
【００９６】
図１０および図１１に示すように、第二実施形態では、下シェル１２に半抜き加工によって形成される凸部８３の形状が、円柱状ではなく、所定幅の円弧状であることを特徴とする。すなわち、半抜き加工を行う加工装置（図示省略）のダイ孔とパンチが所定幅のリング状を呈しており、円弧状に半抜き加工が行われる。ここでもダイ孔の壁面とパンチの壁面とが同一平面上になるように構成されている。このように半抜き加工を行うことで、凸部８３の上面には平坦面８４が形成されることとなる。この平坦面８４も所定幅の円弧状を呈している。凸部８３の外径は、ロータリシャッタ２０の外径と同等となるように構成されている。なお、凸部８３の外径を、ロータリシャッタ２０の外径よりも大きくして、凸部８３の周端部をロータリシャッタ２０の周端部の外側になるように形成してもよいのは勿論である。
【００９７】
なお、下シェル１２の材質、板厚、半抜き深さは、第一実施形態と同様である。また、その他の構成についても、第一実施形態と同様であるので、同じ符号を付してその説明を省略する。
【００９８】
第二実施形態によれば、第一実施形態と同様の作用効果を得られるほかに、凸部８３を円弧状に形成したことで、ロータリシャッタ２０と下シェル１２との間の中心部分の隙間Ｓ１が小さくなることはなく、凸部８３部分の隙間Ｓ２よりも広くすることができる。これによって、ハブ孔シャッタ４０の設置スペースを確保することができ、ハブ孔シャッタ４０の設置を容易に行えるとともに、その回動を円滑に行うことができる。
【００９９】
また、凸部８３を所定幅の円弧状に形成しているので、平坦面８４の平坦性が非常に高い。これは、半抜き加工処理を施すと、段差部分から所定の幅で平坦性が高められるが、凸部８３を所定幅の円弧状にしていることで、その幅方向両側から平坦性が高められることとなるためである。
【０１００】
［第三実施形態］
次に、本発明に係る記録ディスクカートリッジの第三の実施形態について説明する。
【０１０１】
図１２は、第三実施形態に係る記録ディスクカートリッジを示す要部断面図である。
【０１０２】
第三実施形態では、図１２に示すように、ロータリシャッタ２０の下シャッタ２２と、カートリッジケース１０の下シェル１２の両方に、半抜き加工処理を施して、平坦面８５，８６をそれぞれ形成したことを特徴とする。
【０１０３】
下シャッタ２２と下シェル１２に施される半抜き加工は、ともに上側に向かって同一方向に施されている。これによって、下シャッタ２２には、凸部８７が記録ディスクメディア３０側に向かって突出するように形成され、下シャッタ２２の下面には、凹部８９が形成されることとなる。一方、下シェル１２には、凸部８８が記録ディスクメディア３０側に向かって突出するように形成されている。
【０１０４】
各凸部８７，８８は、第二実施形態と同様の半抜き加工が施されて、表裏両面の平坦性が高められている。これによって、下シャッタ２２の凸部８７の裏面（凹部８９の上面）に平坦面８５が形成されるとともに、下シェル１２の凸部８８の上面に平坦面８６が形成されている。平坦面８５と平坦面８６とは互いに平行に配置されて対向するようになっている。
【０１０５】
下シェル１２と下シャッタ２２にそれぞれ施される半抜き加工の抜き形状は、ともに所定幅の円弧状であって、下シェル１２の凹部８９と、下シャッタ２２の凸部８７は、ともに所定幅の円弧状を呈している。下シェル１２の凸部８８の幅Ｌ１は、下シャッタ２２の凸部８７の幅Ｌ２よりも小さくなっている。そして、凸部８８が、凹部８９の下方でその幅方向中心位置に配置されるように形成されている。これによって、凸部８８が、下シャッタ２２の下面に形成される凹部８９内に挿入可能になっている。下シェル１２の凸部８８の高さＨ（図１２（ｂ）参照）は、下シャッタ２２の凹部８９の深さＤ（図１２（ｂ）参照）と同等か、あるいは凹部８９の深さＤよりも大きくなるように構成されている。すなわち、下シェル１２の半抜き深さ（＝凸部８８の高さＨ）は、下シャッタ２２の半抜き深さ（＝凹部８９の深さＤ）よりも大きくなっている。下シェル１２の半抜き深さ（＝凸部８８の高さＨ）は、下シェル１２の板厚の１／１０〜１／２の範囲となっている。下シャッタ２２の半抜き深さ（＝凹部８９の深さＤ）は、下シャッタ２２の板厚の１／１０〜１／２の範囲となっている。
【０１０６】
なお、下シェル１２の材質、板厚は、第一実施形態と同様である。また、その他の構成についても、第一実施形態と同様であるので、同じ符号を付してその説明を省略する。
【０１０７】
前記構成によれば、下シェル１２の、少なくともロータリシャッタ２０の周端部近傍に対向する位置の平坦性を高めることができるとともに、ロータリシャッタ２０側の平坦性も高めているので、ロータリシャッタ２０とカートリッジケース１０との接触の防止効果が大きく、ロータリシャッタ２０の回動を円滑に行うことができる。また、下シェル１２と下シャッタ２２の両方に同じ方向の半抜き加工処理を施しているので、下シェル１２と下シャッタ２２との隙間Ｓ３が殆ど小さくならず、ロータリシャッタ２０とカートリッジケース１０との接触の防止効果がさらに大きい。
【０１０８】
一方、カートリッジケース１０の周端部近傍に半抜き加工によって段部８８ａが形成されることとなるので、これが補強リブの役目を果たし、カートリッジケース１０のねじれに対する剛性を高めることができ、記録ディスクカートリッジ１を持ち運ぶ際に、カートリッジケース１０が変形してねじれるのを防止できる。また、ロータリシャッタ２０側にも半抜き加工によって段部８７ａが形成されることとなり、持ち運び時に発生するねじれに対して、カートリッジケース１０とロータリシャッタ２０の両方で対抗できるので、記録ディスクカートリッジ１全体の剛性が大幅に高くなる。
【０１０９】
また、下シェル１２の凸部８８の高さＨが、下シャッタ２２の凹部８９の深さＤと同等か、あるいは凹部８９の深さＤよりも大きくなるように構成されていることによって、万一、ロータリシャッタ２０に大きなガタツキが発生したとしても、凸部８８の平坦面８６に、凹部８９の平坦面８５が接触するだけであるので、ロータリシャッタ２０がカートリッジケース１０に引っ掛かることはなく、ロータリシャッタ２０の回動を妨げることはない。
【０１１０】
また、下シェル１２と下シャッタ２２にそれぞれ施される半抜き加工の抜き方向が、記録ディスクメディア３０側（上側）に向いていることによれば、カートリッジケース１０の外形寸法が大きくならず、記録ディスクカートリッジ１が規格寸法以上の厚さになることはない。
【０１１１】
以上、本発明を実施するための形態について説明したが、本発明は、前記実施形態に限定されず、本発明の趣旨を逸脱しない範囲で適宜設計変更が可能である。例えば、前記第一乃至第三の実施形態では、下シェル１２、あるいは下シェル１２と下シャッタ２２に、半抜き加工処理を施しているが、これに限られるものではなく、上シェル１１のみ、あるいは上シェル１１と上シャッタ２１のみに半抜き加工処理を施してもよく、また、下シェル１２と上シェル１１、あるいは、下シェル１２と下シャッタ２２および上シェル１１と上シャッタ２１の全てに、半抜き加工処理を施してもよい。
【０１１２】
また、下シェル１２と下シャッタ２２にそれぞれ施される半抜き加工の抜き方向は、各部材間の隙間の寸法を考慮すると同一方向であるのが好ましいが、半抜き方向を対向させて、凸部同士が互いに向かい合うように形成してもよい。これによっても、下シェル１２と下シャッタ２２の両方で平坦性を高めることができるので、ロータリシャッタ２０の回動性を高めることが可能である。
【図面の簡単な説明】
【０１１３】
【図１】第一実施形態に係る記録ディスクカートリッジを示す斜視図であり、（ａ）は上側前方から見た図、（ｂ）は下側後方から見た図である。
【図２】第一実施形態に係る記録ディスクカートリッジの分解斜視図である。
【図３】第一実施形態に係るロータリシャッタを示す斜視図であり、（ａ）は前方斜め上方から見た図、（ｂ）は後方斜め下方から見た図である。
【図４】第一実施形態に係る記録ディスクカートリッジを下方から見た平面図である。
【図５】第一実施形態に係る記録ディスクカートリッジをドライブ装置に挿入した状態と挿入前の状態を示す斜視図である。
【図６】第一実施形態に係る記録ディスクカートリッジを示す要部断面図である。
【図７】第一実施形態に係る記録ディスクカートリッジの下シェルを示す上面図である。
【図８】第一実施形態に係る記録ディスクカートリッジを示す一部破断斜視図である。
【図９】第一実施形態に係る半抜き加工の状態を示す断面図である。
【図１０】第二実施形態に係る記録ディスクカートリッジを示す要部断面図である。
【図１１】第二実施形態に係る記録ディスクカートリッジの下シェルを示す上面図である。
【図１２】第三実施形態に係る記録ディスクカートリッジを示す、（ａ）は要部断面図、（ｂ）は要部拡大断面図である。
【図１３】従来の記録ディスクカートリッジを示す斜視図であり、（ａ）は上側前方から見た図、（ｂ）は下側後方から見た図である。
【符号の説明】
【０１１４】
１      記録ディスクカートリッジ
１０    カートリッジケース
１１    上シェル
１２    下シェル
２０    ロータリシャッタ
２１    上シャッタ
２２    下シャッタ
３０    記録ディスクメディア
８０    平坦面
８４    平坦面
８５    （凹部の）平坦面
８６    （凸部の）平坦面
８８    凸部
８９    凹部
１０１  アクセス用開口部
１１１  アクセス用開口部
１２１  アクセス用開口部
【図１】
2007133961.tif 000003
【図２】
2007133961.tif 000004
【図３】
2007133961.tif 000005
【図４】
2007133961.tif 000006
【図５】
2007133961.tif 000007
【図６】
2007133961.tif 000008
【図７】
2007133961.tif 000009
【図８】
2007133961.tif 000010
【図９】
2007133961.tif 000011
【図１０】
2007133961.tif 000012
【図１１】
2007133961.tif 000013
【図１２】
2007133961.tif 000014
【図１３】
2007133961.tif 000015